(57)【要約】【課題】ダンパーの組立時におけるダンパーワイヤの曲げ作業を省略でき、それにより、製造コストを削減することができるグランドピアノのダンパーを提供する。【解決手段】左右方向に配置された複数の鍵５ａの回動に連動して弦Ｓに離接することにより、弦Ｓの振動を許容または停止するグランドピアノ２のダンパー１であって、対応する鍵５ａの押鍵に連動して上方に回動するダンパーレバー１７と、ダンパーレバー１７に、左右方向に延びる軸線を中心として回動自在に取り付けられ、左右方向に変位可能に構成されたダンパーワイヤフレンジ１８と、ダンパーワイヤフレンジ１８から上方に延びるダンパーワイヤ１９と、ダンパーワイヤ１９に取り付けられ、鍵５ａの離鍵状態において、弦Ｓに上方から当接するダンパーヘッド２０と、ダンパーワイヤ１９が通された案内孔２１ｃを有するダンパーホルダ２１と、を備える。【選択図】図２
2007171341.tif 000002
【特許請求の範囲】
【請求項１】
左右方向に配置された複数の鍵の回動に連動して弦に離接することによって、当該弦の振動を許容または停止するグランドピアノのダンパーであって、
前記複数の鍵ごとに設けられ、対応する前記鍵の押鍵に連動して上方に回動するダンパーレバーと、
当該ダンパーレバーに、左右方向に延びる水平な軸線を中心として回動自在に取り付けられ、左右方向に変位可能に構成されたダンパーワイヤフレンジと、
当該ダンパーワイヤフレンジから上方に延びるダンパーワイヤと、
当該ダンパーワイヤの上端部に取り付けられ、前記鍵の離鍵状態において、前記弦に上方から当接するダンパーヘッドと、
前記ダンパーワイヤが通された案内孔を有するダンパーホルダと、
を備えることを特徴とするグランドピアノのダンパー。
【請求項２】
前記ダンパーワイヤフレンジの少なくとも一部が、弾性材で構成されていることを特徴とする、請求項１に記載のグランドピアノのダンパー。
【請求項３】
前記ダンパーホルダは、上下方向に互いに間隔を存して配置されるとともに、鉛直に延びる１つの線上に配置された案内孔をそれぞれ有する上下のホルダ材で構成されていることを特徴とする、請求項２に記載のグランドピアノのダンパー。
【請求項４】
前記ダンパーワイヤフレンジは、前記ダンパーレバーに回動自在に取り付けられた下フレンジ部と、前記ダンパーワイヤの下端部が連結され、前記下フレンジ部に左右方向にスライド自在に係合する上フレンジ部で構成されていることを特徴とする、請求項１に記載のグランドピアノのダンパー。
【発明の詳細な説明】
【技術分野】
【０００１】
本発明は、複数の鍵の回動などに連動して弦に離接することによって、弦の振動を許容または停止するグランドピアノのダンパーに関する。
【背景技術】
【０００２】
従来のこの種のグランドピアノのダンパーとして、例えば特許文献１に開示されたものが知られている。このダンパーは、前後方向に延びる複数の回動自在のダンパーレバーと、上下方向に延び、下端部において各ダンパーレバーに取り付けられたダンパーワイヤフレンジと、鋼製などの金属で構成され、ダンパーワイヤフレンジから上方に延びるダンパーワイヤと、ダンパーワイヤが通された案内孔を有するダンパーホルダと、ダンパーワイヤの上端部に取り付けられ、水平な弦に上方から離接するダンパーヘッドなどで構成されている。ダンパーレバーは、その後端部において、左右方向に延びる水平な軸線を中心としてダンパーレールに回動自在に設けられており、その前端部が、対応する鍵の後端部に上方から対向している。また、ダンパーワイヤフレンジは一般に、木材や高い剛性の合成樹脂で構成されており、ダンパーレバーに、左右方向に延びる水平な軸線を中心として回動自在に取り付けられている。
【０００３】
この構成により、鍵が押鍵されると、その後端部でダンパーレバーが突き上げられるのに伴い、ダンパーワイヤフレンジを介してダンパーワイヤが上方に移動し、これと一体のダンパーヘッドも上方に移動することによって、ダンパーヘッドが弦から離れ、弦の振動を許容する。一方、鍵が離鍵されると、ダンパーレバーが下方に復帰回動するのに伴い、ダンパーヘッドなどが下方に移動し、ダンパーヘッドが弦に当接することによって、弦の振動を停止する。
【０００４】
以上のようなダンパーでは一般に、多くの鍵において、ダンパーワイヤフレンジとダンパーヘッドが左右方向に互いにずれた状態で配置されている。これは、鍵および弦の配置や延び方向の相違などから、弦が鍵に対して左右方向にずれた状態で配置されており、それに応じて、鍵で突き上げられるダンパーワイヤフレンジと、弦に離接するダンパーヘッドもまた、互いにずれた状態で配置されるためである。一方、前述したように、ダンパーワイヤフレンジは、木材や高い剛性の合成樹脂で構成されるとともに、左右方向に延びる軸線を中心としてダンパーレバーに回動自在に取り付けられているため、前後方向には移動できるものの、左右方向には移動できない。このため、ダンパーワイヤを案内孔で案内するとともに、ダンパーワイヤの鉛直性を保つために、従来においては一般に、ダンパーワイヤが曲げられるようになっている。
【０００５】
具体的には、この曲げ作業は、ダンパーの組立時に行われており、図５に示すように、ダンパーワイヤ５１のダンパーホルダ５３の案内孔５３ａを通る部分と、ダンパーワイヤフレンジ５２から延びる部分がそれぞれ鉛直になるように行われている。しかし、このような曲げ作業は、鍵ごとの実際のずれの大きさに応じてきめ細かく行う必要があり、勘や感覚に頼らざるを得ず、熟練を要する。また、そのような曲げ作業を多数の鍵に対して行う必要があるため、それらの作業全体として、かなりの手間や時間を要するので、製造コストが上昇してしまう。
【０００６】
本発明は、このような課題を解決するためになされたものであり、ダンパーの組立時におけるダンパーワイヤの曲げ作業を省略でき、それにより、製造コストを削減することができるグランドピアノのダンパーを提供することを目的とする。
【０００７】
【特許文献１】特開２００１−３１８６６６号公報
【発明の開示】
【課題を解決するための手段】
【０００８】
この目的を達成するために、請求項１に係る発明は、左右方向に配置された複数の鍵の回動に連動して弦に離接することによって、弦の振動を許容または停止するグランドピアノのダンパーであって、複数の鍵ごとに設けられ、対応する鍵の押鍵に連動して上方に回動するダンパーレバーと、ダンパーレバーに、左右方向に延びる水平な軸線を中心として回動自在に取り付けられ、左右方向に変位可能に構成されたダンパーワイヤフレンジと、ダンパーワイヤフレンジから上方に延びるダンパーワイヤと、ダンパーワイヤの上端部に取り付けられ、鍵の離鍵状態において、弦に上方から当接するダンパーヘッドと、ダンパーワイヤが通された案内孔を有するダンパーホルダと、を備えることを特徴とする。
【０００９】
このグランドピアノのダンパーによれば、ダンパーワイヤフレンジは、ダンパーレバーに、左右方向に延びる水平な軸線を中心として回動自在に取り付けられている。ダンパーワイヤは、ダンパーワイヤフレンジから上方に延びるとともに、ダンパーホルダの案内孔に通されており、その上端部に、ダンパーヘッドが取り付けられている。ダンパーヘッドは、離鍵状態において、弦に上方から当接している。このダンパーの基本的な動作は、前述した従来のダンパーの動作と同様であり、鍵の押鍵に連動して、ダンパーレバーが上方に回動し、ダンパーワイヤフレンジ、ダンパーワイヤおよびダンパーヘッドが、案内孔で案内されながら上方に移動し、ダンパーヘッドが弦から離れることによって、弦の振動が許容される。一方、鍵の離鍵時には、上記と上下逆の動作で、ダンパーヘッドが下方に移動し、弦に当接することによって、弦の振動が停止される。
【００１０】
この構成によれば、ダンパーワイヤフレンジが左右方向に変位可能に構成されている。このため、前述したように、ダンパーワイヤフレンジとダンパーヘッドが左右方向に互いにずれている場合、ダンパーワイヤフレンジをダンパーヘッド側に変位させることによって、両者の間のずれを修正でき、ダンパーワイヤフレンジに取り付けられたダンパーワイヤの下端部を、ダンパーヘッドと左右方向に一致させることができる。それにより、ダンパーワイヤを曲げることなく、ダンパーワイヤの鉛直性を保つことができ、ダンパーの動作時におけるダンパーワイヤの上下の移動を、案内孔で円滑に案内することによって、ダンパーの良好な動作を確保することができる。その結果、図５に示す従来のダンパーと異なり、ダンパーの組立時におけるダンパーワイヤの煩雑な曲げ作業を省略でき、それにより、製造コストを削減することができる。
【００１１】
請求項２に係る発明は、請求項１に記載のグランドピアノのダンパーにおいて、ダンパーワイヤフレンジの少なくとも一部が、弾性材で構成されていることを特徴とする。
【００１２】
この構成によれば、ダンパーワイヤフレンジの少なくとも一部が、弾性材で構成されているので、ダンパーワイヤフレンジに外力を加え、弾性材を変形させることによって、ダンパーワイヤフレンジを左右方向に容易に変位させることができる。
【００１３】
請求項３に係る発明は、請求項２に記載のグランドピアノのダンパーにおいて、ダンパーホルダは、上下方向に互いに間隔を存して配置されるとともに、鉛直に延びる１つの線上に配置された案内孔をそれぞれ有する上下のホルダ材で構成されていることを特徴とする。
【００１４】
この構成によれば、ダンパーホルダが互いに間隔を隔てた上下のホルダ材で構成されるとともに、ホルダ材に形成された案内孔が鉛直に延びる１つの線上に配置されているので、これらの案内孔によって、ダンパーワイヤの鉛直性を確保することができる。このため、請求項２のようにダンパーワイヤフレンジの一部が弾性材で構成されている場合でも、ダンパーの動作時に、鉛直に保たれたダンパーワイヤが、案内孔に引っかかることなくスムーズに移動でき、ダンパーの良好な動作を確保することができる。
【００１５】
請求項４に係る発明は、請求項１に記載のグランドピアノのダンパーにおいて、ダンパーワイヤフレンジは、ダンパーレバーに回動自在に取り付けられた下フレンジ部と、ダンパーワイヤの下端部が連結され、下フレンジ部に左右方向にスライド自在に係合する上フレンジ部で構成されていることを特徴とする。
【００１６】
この構成によれば、ダンパーワイヤフレンジが、互いに左右方向にスライド自在に係合する下フレンジ部および上フレンジ部で構成されている。このため、上フレンジ部を下フレンジ部に対して左右方向にスライドさせるだけで、ダンパーヘッドとのずれを修正でき、ダンパーワイヤの鉛直性を容易に保つことができる。また、上フレンジ部とダンパーヘッドとの間のずれを、例えば手作業により大まかに修正しても、ダンパーの動作が繰り返されるうちに、上フレンジ部が、ダンパーヘッド側に引き寄せられるようにしてスライドし、最終的に、ダンパーヘッドと左右方向に一致するように位置決めされる。このように、ダンパーワイヤの鉛直性の調整を、自動的に精度良く容易に行うことができる。
【発明を実施するための最良の形態】
【００１７】
以下、図面を参照しながら、本発明の好ましい実施形態を詳細に説明する。図１は、本発明のダンパー１を備えたアコースティックタイプのグランドピアノ２の鍵盤装置を、離鍵状態において示している。なお、以下の説明では、グランドピアノ２を演奏者から見た場合の手前側（同図の右側）を「前」、奥側（同図の左側）を「後」とし、さらに左側および右側をそれぞれ「左」および「右」として、説明を行うものとする。
【００１８】
同図に示すように、このグランドピアノ２は、棚板３と、棚板３に移動自在に載置された筬４と、筬４に載置された複数（例えば８８個）の鍵５ａ（１つのみ図示）からなる鍵盤５と、鍵盤５の後部上方に設けられたアクション６と、鍵５ａごとに設けられ、弦Ｓを打弦するハンマー７などを備えている。
【００１９】
鍵５ａは、その中央に形成されたバランスピン孔（図示せず）を介して、筬４に立設されたバランスピン８に回動自在に支持されている。
【００２０】
アクション６は、鍵５ａの押鍵に伴ってハンマー７を回動させるためのものであり、筬４の左右端部に設けられたブラケット９（１つのみ図示）に渡されたウィッペンレール１０に取り付けられている。ウィッペンレール１０には、鍵５ａに対応する複数のウィッペン１２が左右方向に並ぶように取り付けられている。各ウィッペン１２は、前後方向に延び、その後端部において、ウィッペンフレンジ１２ａを介してウィッペンレール１０に回動自在に取り付けられるとともに、鍵５ａの後端部にキャプスタンスクリュー１３を介して載置されている。
【００２１】
ウィッペン１２には、レペティションレバー１４およびジャック１５などが取り付けられている。レペティションレバー１４は、斜め前上がりに前後方向に延びており、その中央部においてウィッペン１２に回動自在に取り付けられている。レペティションレバー１４の前部の所定の位置には、上下方向に貫通するジャック案内孔１４ａが形成されている。
【００２２】
ジャック１５は、上下方向に延びる突き上げ部１５ａと、その下端部から前方にほぼ直角に延びる係合部１５ｂとから、Ｌ字状に形成されており、その角部においてウィッペン１２に回動自在に取り付けられている。突き上げ部１５ａの上端部は、レペティションレバー１４のジャック案内孔１４ａに、前後方向に移動自在に係合している。
【００２３】
一方、ハンマー７は、前後方向に延びるハンマーシャンク７ａと、ハンマーシャンク７ａの後端部に取り付けられたハンマーヘッド７ｂなどで構成されており、ハンマーシャンク７ａの前端部において、シャンクフレンジ７ｃを介してハンマーシャンクレール１１に回動自在に支持されている。ハンマーシャンク７ａの前端部の所定の位置には、円柱状のシャンクローラ７ｄが取り付けられている。図１に示す離鍵状態では、ハンマー７が、レペティションレバー１４のジャック案内孔１４ａ付近にシャンクローラ７ｄを介して載置されるとともに、ジャック１５の突き上げ部１５ａがシャンクローラ７ｄと微小な間隔を存して対向している。
【００２４】
以上の構成によれば、鍵５ａが押鍵されると、鍵５ａはバランスピン８を中心として図１の時計方向に回動するのに伴い、ウィッペン１２がキャプスタンスクリュー１３を介して突き上げられ、上方に回動する。このウィッペン１２の回動に伴い、レペティションレバー１４およびジャック１５がウィッペン１２と一緒に上方に移動し、ジャック１５の突き上げ部１５ａがシャンクローラ７ｄを介してハンマー７を突き上げることによって、ハンマー７が時計方向に回動する。そして、この回動の途中で、ジャック１５がシャンクローラ７ｄから抜け、その直後においてハンマーヘッド７ｂが弦Ｓを打弦する。
【００２５】
図１に示すように、本発明に係るダンパー１は、鍵盤５の後方に配置されている。図２にも示すように、ダンパー１は、ダンパーレール１６と、それに取り付けられた複数のダンパーレバー１７（１つのみ図示）と、各ダンパーレバー１７に取り付けられたダンパーワイヤフレンジ１８と、ダンパーワイヤフレンジ１８から上方に延びるダンパーワイヤ１９と、その上端部に取り付けられたダンパーヘッド２０と、ダンパーワイヤ２０を案内するダンパーホルダ２１などで構成されている。
【００２６】
ダンパーレール１６は、例えばアルミニウムの押出成形品で構成され、鍵盤５の左右方向の全体にわたって延びている。ダンパーレール１６は、ダンパーレール介物を介してピアノ本体（いずれも図示せず）に固定されている。
【００２７】
ダンパーレール１６の前側には、リフティングレール２４が設けられている。このリフティングレール２４もまた、例えばアルミニウムの押出成形品で構成され、中空に形成されていて、鍵盤５の左右方向の全体にわたって延びている。リフティングレール２４は、上下方向に延びるリフティングレール突揚棒２２に載置されている。リフティングレール突揚棒２２は、その下端部においてダンパーペダル（図示せず）に連結されている。また、リフティングレール２４の上面には、これに沿ってリフティングレールクロス２４ａが貼られており、このリフティングレールクロス２４ａに、後述するパイロットスクリュー２３が、所定の間隔を存して上方から対向している。
【００２８】
複数のダンパーレバー１７は、鍵５ａごとに設けられている。各ダンパーレバー１７は、前後方向に延びており、後端部において、ダンパーフレンジ１７ａを介してダンパーレール１６に、左右方向に延びる水平な軸線を中心として、回動自在に取り付けられている。また、ダンパーレバー１７の前端部は、対応する鍵５ａの後端部に上方から対向している（図１参照）。ダンパーレバー１７には、これに重さを付加するために、高比重の金属製の２つの重り１７ｂ，１７ｂが取り付けられている。また、ダンパーレバー１７には、２つの重り１７ｂ，１７ｂの間に、側方に貫通する孔（図示せず）が形成されている。さらに、ダンパーレバー１７の下面には、パイロットスクリュー２３がねじ込まれている。
【００２９】
ダンパーワイヤフレンジ１８は、上下方向に互いに接合された下フレンジ部１８ａ、中フレンジ部１８ｂおよび上フレンジ部１８ｃで構成されている。下フレンジ部１８ａは、例えばＡＢＳ樹脂などの耐衝撃性に優れた合成樹脂の射出成形品で構成されている。下フレンジ部１８ａは、上側の直方体状の本体部１８ｄと、本体部１８ｄの左右の端部から互いに平行に下方に延びる一対の腕部１８ｅ，１８ｅを一体に備えている。これらの腕部１８ｅ，１８ｅには、側方に貫通する孔１８ｆ（１つのみ図示）が互いに対向するように形成されている。そして、これらの孔１８ｆ，１８ｆとダンパーレバー１７の孔にピン２６が通されることによって、下フレンジ部１８ａは、このピン２６を介してダンパーレバー１７に、左右方向の水平な軸線を中心として回動自在に取り付けられている。
【００３０】
中フレンジ部１８ｂは、硬質ゴムなどの弾性材で構成されている。中フレンジ部１８ｂは、上下方向に長い直方体状に形成されており、下フレンジ部１８ａの本体部１８ｄの上面に、例えば接着によって、取り付けられている。
【００３１】
上フレンジ部１８ｃは、下フレンジ部１８ａと同様、ＡＢＳ樹脂などの合成樹脂の射出成形品で構成されている。上フレンジ部１８ｃは、直方体状に形成されており、中フレンジ部１８ｂの上面に、接着によって取り付けられている。上フレンジ部１８ｃの上面には、ダンパーワイヤ１９の先端部が差し込まれており、上フレンジ部１８ｃの前面に取り付けたねじ２７を締め付けることによって、ダンパーワイヤ１９が上フレンジ部１８ｃに固定されるとともに、その高さが調整されるようになっている。ダンパーワイヤ１９は、従来と同様、鋼製などの金属で構成されている。
【００３２】
ダンパーホルダ２１は、上下のホルダ板２１ａ，２１ａと、両ホルダ板２１ａ，２１ａの間に介在する付木２１ｂで構成されている。これらのホルダ板２１ａ，２１ａおよび付木２１ｂは、木材で構成されるとともに、左右方向に延びており、鍵盤５の全体にわたって設けられている。ホルダー２１は、下側のホルダ板２１ａの後部が響板（図示せず）の前端部に載せられた状態で、響板に固定されている。また、付木２１ｂは、所定の厚さを有し、両ホルダ板２１ａ，２１ａの後端部に接着されており、両ホルダ板２１ａ，２１ａの間に所定の間隔を保つスペーサとして機能するとともに、ダンパーホルダ２１全体の剛性を高める役割を果たす。また、両ホルダ板２１ａ，２１ａにはそれぞれ、案内孔２１ｃ，２１ｃが形成されている。これらの案内孔２１ｃ，２１ｃは、上下方向に貫通しており、鉛直に延びる１つの線上に配置されている。案内孔２１ｃ，２１ｃには、ダンパーワイヤ１９が通されており、それにより、ダンパーワイヤ１９の鉛直性が確保される。
【００３３】
ダンパーヘッド２０は、木材で構成された本体部２０ａと、本体部２０ａの下面に取り付けられた前後２つのダンパーフェルト２０ｂ，２０ｂで構成されている。本体部２０ａの一方の側面には、穴２０ｃが形成されており、この穴２０ｃに、側方に曲げられたダンパーワイヤ１９の上端部が係合している。ダンパーヘッド２０は、図１に示す離鍵状態において、水平に張設された弦Ｓに上方から当接している。
【００３４】
以上の構成により、鍵５ａが押鍵されると、鍵５ａはバランスピン８を中心として図１の時計方向に回動することによって、その後端部でダンパーレバー１７を突き上げる。これにより、ダンパーレバー１７は、その後端部を中心として図１の反時計方向に回動する。この回動に伴い、ダンパーワイヤフレンジ１８を介して、ダンパーワイヤ１９がダンパーホルダ２１の案内孔２１ｃ，２１ｃで案内されながら水平方向にぶれることなく、まっすぐ上方に移動する。これにより、ダンパーワイヤ１９と一体のダンパーヘッド２０も上方に移動することによって、ダンパーヘッド２０が弦Ｓから離れ、弦Ｓの振動が許容される。その後、鍵５ａの回動に連動して回動するハンマー７が弦Ｓを打弦することによって、弦Ｓが振動し、ピアノ音が発生する。
【００３５】
一方、鍵５ａが離鍵されると、ダンパーレバー１７が図１の時計方向に復帰回動するのに伴い、上記と逆の動作で、ダンパーヘッド２０などが下方に移動し、ダンパーヘッド２０が弦Ｓに当接することによって、弦Ｓの振動が停止され、それにより、発音が停止（止音）される。
【００３６】
また、ダンパーペダルが踏み込み操作されると、リフティングレール２４がリフティングレール突揚棒２２により突き上げられることによって、上方に回動する。これにより、すべてのダンパレバー１７がパイロットスクリュー２３を介して上方に突き上げられ、ダンパーヘッド２０が弦Ｓから一斉に離れることによって、すべての弦Ｓの振動が許容され、ダンパーペダル効果が付与される。
【００３７】
以上のように、本実施形態によれば、ダンパーワイヤフレンジ１８の中フレンジ部１８ｂが硬質ゴムで構成されているので、ダンパー１の組立時に、ダンパーワイヤフレンジ１８に外力を加え、中フレンジ部１８ｂを変形させることによって、ダンパーワイヤフレンジ１８を左右方向に容易に変位させることができる。このため、前述したように、ダンパーワイヤフレンジ１８とダンパーヘッド２０が左右方向に互いにずれている場合でも、ダンパーワイヤフレンジ１８に外力を加えるだけで、両者の間のずれを容易に修正できる。このため、前述した図５に示す従来のダンパーと異なり、ダンパー１の組立時におけるダンパーワイヤ１９の煩雑な曲げ作業を省略でき、それにより、製造コストを削減することができる。
【００３８】
また、ダンパーホルダ２１が、互いに間隔を隔てた上下のホルダ板２１ａ，２１ａで構成されるとともに、両ホルダ板２１ａ，２１ａに形成された案内孔２１ｃ，２１ｃが鉛直に延びる１つの線上に配置されているので、これらの案内孔２１ｃ，２１ｃにより、それらに通されたダンパーワイヤ１９の鉛直性を確保することができる。このため、本実施形態のようにダンパーワイヤフレンジ１８の中フレンジ部１８ｂを硬質ゴムで構成しても、ダンパー１の動作時に、鉛直に保たれたダンパーワイヤ１９が、案内孔２１ｃ，２１ｃに引っかかることなくスムーズに移動でき、ダンパー１の良好な動作を確保することができる。
【００３９】
図３は、本発明の第２実施形態によるダンパー４１を示している。このダンパー４１は、第１実施形態のダンパー１と比較し、ダンパーワイヤフレンジ４２の構成が異なる。このため、以下の説明において、前述した第１実施形態と同じ構成については、同一の参照番号を付し、その詳細な説明は省略するものとする。ダンパーワイヤフレンジ４２は、ＡＢＳ樹脂などの耐衝撃性に優れた合成樹脂の射出成形品で構成されている。図４に示すように、ダンパーワイヤフレンジ４２は、下フレンジ部４３と上フレンジ部４４で構成されている。下フレンジ部４３は、第１実施形態と同じ構成の本体部１８ｄおよび一対の腕部１８ｅ，１８ｅに加え、本体部１８ｄの上側に係合部４３ａを一体に有している。この係合部４３ａは、本体部１８ｄの左右方向に連続して延びており、Ｔ字状の一定の断面を有している。
【００４０】
上フレンジ部４４は、上下方向に長い直方体状に形成されている。上フレンジ部４４の下部には、係合孔４４ａが形成されている。係合孔４４ａは、上フレンジ部４４の左右方向に連続して延びており、下面が開口している。また、係合孔４４ａは、下フレンジ部４３の係合部４３ａと相補的なＴ字状の一定の断面を有している。以上の構成の係合部４３ａおよび係合孔４４ａは、互いにぴったりと係合しており、それにより、上フレンジ部４４が、下フレンジ部４３に対して左右方向にスライド自在にかつ上下方向に移動不能に連結されている。
【００４１】
以上の構成によれば、上フレンジ部４４を下フレンジ部４３に対して左右方向にスライドさせるだけで、ダンパーヘッド２０とのずれを修正でき、ダンパーワイヤ１９の鉛直性を容易に保つことができる。また、上フレンジ部４４とダンパーヘッド２０との間のずれを、例えば手作業により大まかに修正しても、ダンパー４１の動作が繰り返されるうちに、上フレンジ部４４が、ダンパーヘッド２０側に引き寄せられるようにしてスライドし、最終的に、ダンパーヘッド２０と左右方向に一致するように位置決めされる。このように、ダンパーワイヤ１９の鉛直性の調整を、自動的に精度良く容易に行うことができる。
【００４２】
また、係合部４３ａと係合孔４４ａが互いに相補的な断面Ｔ字状に形成されているので、両者を互いにきつく係合させることができるとともに、上下方向への相対的な移動や抜けを防止することができる。このため、ダンパー４１のがたつきや動作時のノイズの発生を防止することができる。
【００４３】
なお、本発明は、説明した実施形態に限定されることなく種々の態様で実施することができる。例えば、第１実施形態では、中フレンジ部１８ｂを、直方体状に形成しているが、これに限らず、例えば円柱状に形成してもよい。また、第２実施形態では、ダンパーワイヤ１９を、上下のホルダ板２１ａ，２１ａで案内しているが、下側のホルダ板２１ａを省略し、上側のホルダ板２１ａのみで案内してもよい。さらに、第２実施形態の上フレンジ部４４を、ダンパーワイヤ１９が連結された上半部と、係合孔４４ａを有する下半部とに互いに別個に構成してもよく、その場合には、下半部を硬質ゴムなどの弾性材で構成してもよい。このように、下半部を硬質ゴムで構成することにより、その弾性によって、両者をよりぴったりと係合させることができる。
【００４４】
さらに、実施形態は、本発明をアコースティックタイプのグランドピアノに適用した例であるが、これに限らず、自動演奏タイプや消音タイプなどの他のタイプのグランドピアノに適用してもよいことはもちろんである。その他、本発明の趣旨の範囲内で、細部を適宜変更することが可能である。
【図面の簡単な説明】
【００４５】
【図１】本発明の実施形態によるダンパーを備えたグランドピアノの鍵盤装置の側面図である。
【図２】図１のダンパーの斜視図である。
【図３】本発明の第２実施形態によるダンパーの斜視図である。
【図４】図３のダンパーワイヤフレンジの（ａ）分解斜視図および（ｂ）組立斜視図である。
【図５】従来のダンパーの斜視図である。
【符号の説明】
【００４６】
１  ダンパー
２  グランドピアノ
５ａ  鍵
１７  ダンパーレバー
１８  ダンパーワイヤフレンジ
１９  ダンパーワイヤ
２０  ダンパーヘッド
２１  ダンパーホルダ
２１ａ  ホルダ板（ホルダ材）
２１ｃ  案内孔
４１  ダンパー
４２  ダンパーワイヤフレンジ
４３  下フレンジ部
４４  上フレンジ部
Ｓ  弦    
【図１】
2007171341.tif 000003
【図２】
2007171341.tif 000004
【図３】
2007171341.tif 000005
【図４】
2007171341.tif 000006
【図５】
2007171341.tif 000007